(57)【要約】      （修正有）【課題】雪かき作業の効率と置き場所、収納場所の省スペース化を図った折畳み式雪かき機を提供する。【解決手段】この雪かき機は、バケット２と、把持用フレーム１とからなり、バケット２の各固定管３側のジョイント５の内側に把持用フレーム１の各縦棒部分側のジョイント５がばね１８を介して配置され、両側の固定管３及び固定管３側のジョイント５、縦棒部分及び縦棒部分側のジョイント５間にシャフト６が回転可能に通されて、一端にカム機構を有するモンキーレンチ１０が取り付けられ、他端が抜け止めされて、バケット２に把持用フレーム１が折り畳み可能にかつ角度調整可能に連結される。【選択図】図１
0003187072.tif 000002
【実用新案登録請求の範囲】
【請求項１】
バケットと、バケットにシャフト装置を介して連結される把持用フレームとを備えてなる折畳み式雪かき機であって、
前記バケットは両側に上部にジョイントを有する固定管を備え、
前記把持用フレームは略コ字形に形成され、両側の縦棒部分の下部にジョイントを備え、
前記シャフト装置はシャフト、前記シャフト上に巻き付け配置されるばね及び前記シャフトの一端に取り付けられるカム機構を有するモンキーレンチとを備え、
前記バケットの前記各固定管側のジョイントの内側に前記把持用フレームの前記各縦棒部分側のジョイントが前記ばねを介して配置され、一方の前記固定管及び前記固定管側のジョイント、前記縦棒部分及び前記縦棒部分側のジョイントから他方の前記縦棒部分及び前記縦棒部分側のジョイント、前記固定管及び前記固定管側のジョイントへ前記シャフトが回転可能に通されて、前記シャフトの一方の前記固定管側の端部に前記モンキーレンチが当該固定管の軸方向に向けて回動可能にかつ当該固定管に前記カム機構が係脱可能に取り付けられ、他方の前記固定管側の端部が抜け止めされて、
前記バケットに前記把持用フレームが折り畳み可能にかつ角度調整可能に連結される、
ことを特徴とする折畳み式雪かき機。
【考案の詳細な説明】
【技術分野】
【０００１】
本考案は折畳み式雪かき機に関する。
【背景技術】
【０００２】
冬の季節は期間が長く、温度が低いために雪が降ることが少なくない。特に緯度の高い国々では長年に亘り雪が降り積る。道路の積雪が原因で、人々の生活や仕事の面で深刻な問題が引き起こされる。このため、大都市の主な道路に積雪があると、大型の冬季作業車両で除雪作業が行われる。ところが、大型の冬季作業車両は体積が大きく、製造コストが高いため、都市にある機関、学校、歩行者天国などのエリアには大型の冬季作業車両は向いていない。そこで、日常生活においての除雪作業には除雪工具を用いた人工除雪が欠かせない。現在、人工除雪のための工具といえば、シャベル、スノーダンプ、箒などが知られている。
【考案の概要】
【考案が解決しようとする課題】
【０００３】
しかしながら、従来の除雪工具では、工具の使用時は自由に移動することができないこと、工具ですくい取った雪を工具から落とすには工具の雪をすくった面を完全に引っ繰り返さなければならないこと、使用しない時は工具の置き場所としてスペースが占められることなど、いくつかの問題がある。特に、世帯人数の少ない家庭では除雪作業の効率が低く、人が除雪工具を扱うのに無理な力をかけて作業を行わなければならないなどの問題がある。
【０００４】
本考案は、このような従来の問題を解決するものであり、雪かきを効果的に行え、雪かき作業の効率を向上させ、また、折り畳み可能な構造とし、置き場所、収納場所の省スペース化を図ることのできる折畳み式雪かき機を提供することを目的とする。
【課題を解決するための手段】
【０００５】
上記問題点を解決して上記目的を達成するために、本考案の折畳み式雪かき機は把持用フレーム、バケット、回転自在なシャフトを備え、当該バケットは各側ごとにそれぞれ固定管が設けられ、前記固定管ごとにそれぞれ下部にウィングナットにより前記バケットの一側に固定され、当該各固定管の上部にジョイントが設けられ、前記把持用フレームの縦棒部分と前記バケットとは前記ジョイントの円弧状の管溝により連接され、前記シャフトは前記ジョイントと前記固定管の穴を貫通し、且つ前記シャフトの両端が前記固定管から延出した部分はそれぞれ第一端と第二端に形成され、前記第一端にはピンホールが設けられ、モンキーレンチが位置決めピンにより前記ピンホールに固定され、前記ジョイントにはばねが内設され、前記ばねは前記シャフトに覆接する、ことを要旨とする。
【０００６】
また、この折畳み式雪かき機は、各部に次のような構成を備えることが好ましい。
（１）前記シャフトの外表面には軸スリーブが設けられ、前記軸スリーブは両端がそれぞれ前記把持用フレームの2つの縦棒に固定される。
（２）前記シャフトは前記第二端にゆるみ止めナットが設けられ、前記ゆるみ止めナットと前記第二端との間にはガスケットが設けられる。
（３）前記固定管ごとに上部の管口部には栓が設けられる。
（４）前記バケットはちり取り状を呈し、且つすくい部には前側刃先が設けられる。
（５）前記バケットは水平底部にキャスターが設けられる。
（６）前記バケットの前記前側刃先は高強度アルミニウム合金材が採用される。
（７）前記把持用フレームの外表面には発泡ハンドル部が設けられる。
【考案の効果】
【０００７】
本考案の折畳み式雪かき機によれば、上記の各構成により、各組合せ部材が迅速に組立て可能で、バケット底部に設けられるキャスターにより便利に移動できることで、除雪作業の効率向上につながり、大雪の場合でも便利且つ迅速に雪かきができ、生活の利便性を向上させることができる。また、この雪かき機は、把持用フレームがジョイントにより折畳み可能であるので、使用しない時は省スペースに収納することができる。
【図面の簡単な説明】
【０００８】
【図１】本考案の一実施の形態に係る折畳み式雪かき機の全体構造を示す一部分解正面図
【図２】同折畳み式雪かき機の側面図
【図３】同折畳み式雪かき機のジョイントの内部構造を示す図（（ａ）は斜視図（ｂ）は側面図）
【図４】同折畳み式雪かき機のモンキーレンチの構造を示す斜視図
【考案を実施するための形態】
【０００９】
次に、この考案を実施するための形態について図を用いて説明する。図１、図２に折畳み式雪かき機の構成を示している。図３、図４にそれぞれ、この雪かき機に採用されるジョイント、モンキーレンチの構成を示している。
【００１０】
図１及び図２に示すように、この折畳み式雪かき機は、バケット２、把持用フレーム１、回転自在なシャフト６を含むシャフト装置を備える。
バケット２は左右各側部に固定管３が設けられる。この場合、各固定管３は下部がウィングナット４によりバケット２の各側部に固定される。これらの固定管３は上部の両側面間にシャフト６を通すための穴が貫通形成され、この上部にバケット２（の固定管３）と把持用フレーム１（の縦棒部分）を連接するためのジョイント５が設けられる。このジョイント５は二つのジョイント部材に分けられ、それぞれ、略円形に形成されて、その中心にシャフト６を通すための穴が設けられ、また、片側一方の面には固定管３又は縦棒部分を通すための断面円弧状の管溝が設けられる。一方のジョイント部材は管溝に固定管３の上部側が通されて、この固定管３の上部側に取り付け固定される。
把持用フレーム１は略コ字形に形成されて、両側に縦棒部分を有する。これらの縦棒部分の下部の両側面間にシャフト６を通すための穴が貫通形成され、この下部に他方のジョイント部材が設けられる。このジョイント部材は管溝に把持フレーム１の縦棒部分の下部側が通されて、この縦棒部分の下部側に取り付け固定される。
シャフト装置はシャフト６、シャフト６上に巻き付け配置されるばね１８及びシャフト６の一端に取り付けられるカム機構（カム形状部）を有するモンキーレンチ１０とを備える。
そして、バケット２の各固定管３側のジョイント部材の内側に把持用フレーム１の各縦棒部分側のジョイント部材がばね１８を介して配置され、一方の固定管３及び固定管３側のジョイント部材、一方の縦棒部分及び縦棒部分側のジョイント部材の各穴から他方の縦棒部分及び縦棒部分側のジョイント部材、固定管３及び固定管３側のジョイント部材の各穴へシャフト６が貫通されて、シャフト６の両端（第一端７と第二端８）が固定管３から延出される。シャフト６の一端（第一端７）の外周面にはピンホール９を有し、このピンホール９にモンキーレンチ１０が位置決めピン１１により取り付けられる。この場合、モンキーレンチ１０はこの固定管３の軸方向に向けて回動可能にかつこの固定管３にカム機構が係脱可能に取り付けられる。また、シャフト６の他端（第二端８）は抜け止めされる。このシャフト６は軸心を中心に自在に回転し、且つ一定の支持的な相互作用の役割を果たす。これによりバケット２と把持用フレーム１の縦棒部分が連接される。
このようにして、使用時の常態では、モンキーレンチ１０のカム機構が一方の固定管３に係合されて、シャフト６上で各ジョイント５がばね１８を圧縮した状態にし、把持用フレーム１の角度を調整する際又は雪かき機を折畳む際は、モンキーレンチ１０を回転させることで把持用フレーム１の角度を調整する役割を果たす。すなわち、この雪かき機の使用時は、モンキーレンチ１０を位置決めピン１１の軸心方向に沿って回転させ、モンキーレンチ１０のカム機構で固定管３又は固定管３からジョイント５に近い一部に向けてプレッシャーをかけることにより、各ジョイント５の各ジョイント部材間でばね１８が圧縮された状態となり、これにより把持用フレーム１がロック状態となる。そして、把持用フレーム１の角度を調整する際、又はこの雪かき機を折畳む際に、モンキーレンチ１０を位置決めピン１１の軸心方向に沿って回転させ、モンキーレンチ１０のカム機構で固定管３又は固定管３からジョイント５の近い一部に向けてプレッシャーをかけた状態から外に向けて緩めるようにすると、ジョイント５の各ジョイント部材間はばね１８の弾力作用によりオープンし、これにより把持用フレーム１がロック解除状態となる。このとき、把持用フレーム１の角度を便利に調整し必要な任意の角度の回転が可能になる。把持用フレーム１の角度調整又は折り畳みが完了したら、再びモンキーレンチ１０を回転させ、モンキーレンチ１０のカム機構で固定管３又は固定管３からジョイント５の近い一部に向けてプレッシャーをかけて、把持用フレーム１をロックする。
【００１１】
さらに、この雪かき機には、次のような構成か採用される。
シャフト６の外表面に軸スリーブ１２が設けられ、軸スリーブ１２は両端がそれぞれ把持用フレーム１の２つの縦棒に固定される。軸スリーブ１２及び把持用フレーム１の表面には亜鉛メッキの防錆処理が行われて、酸化、腐食を有効に防止することができる上、外部の積雪がシャフト６に沿ってジョイント５に入り、除雪効率に影響を与えるのを防止される。この雪かき機のバケット２に満たされた雪を目的地に押して運ぶときに、雪を下ろす前に、把持用フレーム１の角度調整ができるので、手軽に雪下ろしができる。すなわち、積雪を下ろそうとするときに、シャフト６により把持用フレーム１の角度を下に向けてモンキーレンチ１０をしめると、除雪の動きの範囲を狭くできるので、省力効果がある。このようにして作業の手間や労力を省いて除雪作業を実施することができる。
【００１２】
シャフト６は第二端８にゆるみ止めナット１３が設けられ、ゆるみ止めナット１３と第二端８との間にはガスケットが設けられる。このゆるみ止めナット１３がこの雪かき機が動作する過程での緩み止めの役割を有効に果たす。このようにしてシャフト６の他端が固定されることで、シャフト６の一端に設けられたモンキーレンチ１０により手軽にジョイント５をオープンすることができ、また、モンキーレンチ１０のカム機構が固定管３との間により密接に着接される。
【００１３】
固定管３ごとに上部の管口部には栓１４が設けられる。このようにすることで除雪過程において外部の積雪が固定管３に入ってくるのを有効に防止でき、同時に、管口部の鋭いエッジから子供を守ることが可能である。
【００１４】
バケット２はちり取り状を呈し、且つすくい部には前側刃先１５が設けられる。また、バケット２は底部が水平で、これにより、積雪が多い場合に雪かき機のスムーズな移動につながる。さらに、バケット２は水平の底部にキャスター１６が設けられることで、押動中の摩擦係数を低減するため、雪かき機に載せたものを迅速に移動することができる。
【００１５】
バケット２の前側刃先１５は高強度アルミニウム合金材が採用される。このように前側刃先１５に高強度アルミニウム合金材を採用することで、寒い天候下で部分的に積雪が踏まれて生じた部分的に細かい氷の塊を取り除くことができる。
【００１６】
把持用フレーム１の外表面には発泡ハンドル部１７が設けられる。発泡ハンドル部１７は把持用フレーム１の一つの部分にだけ設けられてもよく、また、複数の部分に、或いは全部を覆うように設けられてもよい。これにより、寒い天候下で除雪作業を行う際に、手と金属製のフレームとの直接接触による凍傷を防ぐことができる。
【００１７】
この折畳み式雪かき機は、使用時に組合わせるだけでよく、構造が簡単なので、道具を使用することなしに簡単に組立てることができる。しかも、迅速に組立て且つ使用でき、且つ需要によって製品の体積を決めることができる。積雪の多少によって異なった地区でも需要によって使うことができる。さらに、大人でも子供でも使うことができる。寒い天候下で除雪作業を行う際に新しい経験をすることができる。また、この雪かき機を使わない時は折りたたんで省スペースに収納することができ、また、室内ではちりとりとして使うこともできる。
【００１８】
以上説明したように、この折畳み式雪かき機は、バケット２と、バケット２にシャフト装置を介して連結される把持用フレーム１とを備えてなり、バケット２は両側に上部にジョイント部材を有する固定管３を備え、把持用フレーム１は略コ字形に形成され、両側の縦棒部分の下部にジョイント部材を備え、シャフト装置はシャフト６、シャフト６上に巻き付け配置されるばね１８及びシャフト６の一端に取り付けられるカム機構（カム形状部）を有するモンキーレンチ１０とを備え、バケット２の各固定管３側のジョイント部材の内側に把持用フレーム１の各縦棒部分側のジョイント部材がばね１８を介して配置され一方の固定管３及び固定管側のジョイント部材、縦棒部分及び縦棒部分側のジョイント部材から他方の縦棒部分及び縦棒部分側のジョイント部材、固定管及び固定管側のジョイント部材へシャフト６が回転可能に通されて、シャフト６の一方の固定管３側の端部にモンキーレンチ１０がこの固定管３の軸方向に向けて回動可能にかつこの固定管３にカム機構が係脱可能に取り付けられ、他方の固定管３側の端部が抜け止めされて、バケット２に把持用フレーム１が折り畳み可能にかつ角度調整可能に連結されるので、把持用フレーム１の角度調整によりバケット２の操作性がよくなり、雪かきを効果的に行え、雪かき作業の効率を向上させることができ、また、把持用フレーム１とバケット２をコンパクトに折り畳むことができ、置き場所、収納場所の省スペース化を図ることができる。
【００１９】
なお、上述では本考案を詳しく説明するための好ましい実施例を開示したに過ぎず、それを以って、本考案の実用新案登録請求の範囲が制限されることは無い。この分野の技術者が、本考案の実施の形態を理解したうえ、本考案の思想を逸脱することなく種々の改造やそれと同じ置き換えを行っても、それはすべて本考案の範囲に含まれるものである。
【符号の説明】
【００２０】
１  把持用フレーム
２  バケット
３  固定管
４  ウィングナット
５  ジョイント
６  シャフト
７  第一端
８  第二端
９  ピンホール
１０  モンキーレンチ
１１  位置決めピン
１２  軸スリーブ
１３  ゆるみ止めナット
１４  栓
１５  前側刃先
１６  キャスター
１７  発泡ハンドル部
１８  ばね
【図１】
0003187072.tif 000003
【図２】
0003187072.tif 000004
【図３】
0003187072.tif 000005
【図４】
0003187072.tif 000006